(57)【要約】  本発明の実施形態に係るショベルは、下部走行体（１）と、下部走行体（１）に旋回可能に搭載される上部旋回体（３）と、上部旋回体（３）に搭載されるメインポンプ（１４）と、メインポンプ（１４）が吐出する作動油によって駆動される油圧アクチュエータと、メインポンプ（１４）が吐出する作動油のうち、油圧アクチュエータを経由せずに作動油タンクに流れる作動油の流量を制御するブリード弁（１７７）と、メインポンプ（１４）から油圧アクチュエータへ供給される作動油の圧力における脈動の大きさに応じてブリード弁（１７７）の開口面積を制御するコントローラ（３０）と、を備える。
2018164263.tif 000002
【特許請求の範囲】
【請求項１】
下部走行体と、
前記下部走行体に旋回可能に搭載される上部旋回体と、
前記上部旋回体に搭載される油圧ポンプと、
前記油圧ポンプが吐出する作動油によって駆動される油圧アクチュエータと、
前記油圧ポンプが吐出する作動油のうち、前記油圧アクチュエータを経由せずに作動油タンクに流れる作動油の流量を制御するブリード弁と、
前記油圧ポンプから前記油圧アクチュエータへ供給される作動油の圧力における脈動の大きさに応じて前記ブリード弁の開口面積を制御する制御装置と、を備える、
ショベル。
【請求項２】
前記制御装置は、脈動が小さいほど、前記ブリード弁の開口面積を小さくする、
請求項１に記載のショベル。
【請求項３】
下部走行体と、
前記下部走行体に旋回可能に搭載される上部旋回体と、
前記上部旋回体に搭載される油圧ポンプと、
前記油圧ポンプが吐出する作動油によって駆動される油圧アクチュエータと、
前記油圧ポンプが吐出する作動油のうち、前記油圧アクチュエータを経由せずに作動油タンクに流れる作動油の流量を制御するネガコン絞りと、
前記油圧ポンプから前記油圧アクチュエータへ供給される作動油の圧力における脈動の大きさに応じて前記ネガコン絞りの開口面積を制御する制御装置と、を備える、
ショベル。
【請求項４】
前記制御装置は、脈動が小さいほど、前記ネガコン絞りの開口面積を小さくする、
請求項３に記載のショベル。
【請求項５】
前記油圧ポンプから前記油圧アクチュエータに向かう作動油の流れを制御する制御弁のそれぞれは、前記油圧ポンプと前記作動油タンクとの間で互いに並列に接続されている、
請求項１又は３に記載のショベル。
【請求項６】
前記油圧ポンプが吐出する作動油の圧力を検出する圧力センサを備え、
前記制御装置は、前記圧力センサの検出値に基づいて作動油の圧力における脈動の大きさを検出する、
請求項１又は３に記載のショベル。
【請求項７】
前記油圧アクチュエータにおける作動油の圧力を検出する圧力センサを備え、
前記制御装置は、前記圧力センサの検出値に基づいて作動油の圧力における脈動の大きさを検出する、
請求項１又は３に記載のショベル。
【発明の詳細な説明】
【技術分野】
【０００１】
本開示は、油圧ポンプが吐出する作動油で駆動される油圧アクチュエータを備えたショベルに関する。
【背景技術】
【０００２】
従来、メインポンプを共有する複数の油圧アクチュエータのそれぞれに対応する方向切換弁のブリードオフを１つのカット弁で制御できるようにしたショベルが知られている（特許文献１参照。）。【０００３】
このショベルは、作業アタッチメントの作業半径の縮小に応じてブリードオフを増大させることで、作業アタッチメントの作業半径が小さいときの上部旋回体の旋回加速力を抑えるようにしている。
【先行技術文献】
【特許文献】
【０００４】
【特許文献１】特開平１０−１８３５９号公報
【発明の概要】
【発明が解決しようとする課題】
【０００５】
しかしながら、上述のショベルは、旋回操作性を安定化させるためにカット弁でブリードオフを制御するのみであり、油圧回路内における作動油の圧力の脈動を抑制するためにカット弁を利用することはない。そのため、油圧回路内における作動油の圧力の脈動を抑制できない。【０００６】
上述に鑑み、油圧回路内における作動油の圧力の脈動を抑制可能なショベルを提供することが望ましい。
【課題を解決するための手段】
【０００７】
本発明の実施形態に係るショベルは、下部走行体と、前記下部走行体に旋回可能に搭載される上部旋回体と、前記上部旋回体に搭載される油圧ポンプと、前記油圧ポンプが吐出する作動油によって駆動される油圧アクチュエータと、前記油圧ポンプが吐出する作動油のうち、前記油圧アクチュエータを経由せずに作動油タンクに流れる作動油の流量を制御するブリード弁と、前記油圧ポンプから前記油圧アクチュエータへ供給される作動油の圧力における脈動の大きさに応じて前記ブリード弁の開口面積を制御する制御装置と、を備える。
【発明の効果】
【０００８】
上述の手段により、油圧回路内における作動油の圧力の脈動を抑制可能なショベルを提供できる。
【図面の簡単な説明】
【０００９】
【図１】本発明の実施形態に係るショベルの側面図である。
【図２】図１のショベルの駆動系の構成例を示すブロック図である。
【図３】図１のショベルに搭載される油圧回路の構成例を示す概略図である。
【図４】ブリード流量増減処理の一例のフローチャートである。
【図５】ブーム上げ操作中にブリード流量増減処理を実行しているときのポンプ吐出圧と比例弁特性の時間的推移を示す。
【図６】ブリード流量増減処理の別の一例のフローチャートである。
【図７】図１のショベルに搭載される油圧回路の別の構成例を示す概略図である。
【発明を実施するための形態】
【００１０】
図１は本発明の実施形態に係るショベル（掘削機）の側面図である。ショベルの下部走行体１には旋回機構２を介して上部旋回体３が旋回可能に搭載されている。上部旋回体３にはブーム４が取り付けられている。ブーム４の先端にはアーム５が取り付けられ、アーム５の先端にはエンドアタッチメントとしてのバケット６が取り付けられている。
【００１１】
ブーム４、アーム５、バケット６は、アタッチメントの一例としての掘削アタッチメントを構成し、ブームシリンダ７、アームシリンダ８、バケットシリンダ９によりそれぞれ油圧駆動される。ブーム４にはブーム角度センサＳ１が取り付けられ、アーム５にはアーム角度センサＳ２が取り付けられ、バケット６にはバケット角度センサＳ３が取り付けられている。
【００１２】
ブーム角度センサＳ１はブーム４の回動角度を検出する。本実施形態では、ブーム角度センサＳ１は加速度センサであり、上部旋回体３に対するブーム４の回動角度（以下、「ブーム角度α」とする。）を検出できる。ブーム角度αは、例えば、ブーム４を最も下げたときにゼロ度となり、ブーム４を上げるにつれて大きくなる。
【００１３】
アーム角度センサＳ２はアーム５の回動角度を検出する。本実施形態では、アーム角度センサＳ２は加速度センサであり、ブーム４に対するアーム５の回動角度（以下、「アーム角度β」とする。）を検出できる。アーム角度βは、例えば、アーム５を最も閉じたときにゼロ度となり、アーム５を開くにつれて大きくなる。
【００１４】
バケット角度センサＳ３はバケット６の回動角度を検出する。本実施形態では、バケット角度センサＳ３は加速度センサであり、アーム５に対するバケット６の回動角度（以下、「バケット角度γ」とする。）を検出できる。バケット角度γは、例えば、バケット６を最も閉じたときにゼロ度となり、バケット６を開くにつれて大きくなる。
【００１５】
ブーム角度センサＳ１、アーム角度センサＳ２、及び、バケット角度センサＳ３はそれぞれ、可変抵抗器を利用したポテンショメータ、対応する油圧シリンダのストローク量を検出するストロークセンサ、連結ピン回りの回動角度を検出するロータリエンコーダ、ジャイロセンサ、加速度センサとジャイロセンサの組み合わせ等であってもよい。
【００１６】
ブームシリンダ７にはブームロッド圧センサＳ７Ｒ及びブームボトム圧センサＳ７Ｂが取り付けられている。アームシリンダ８にはアームロッド圧センサＳ８Ｒ及びアームボトム圧センサＳ８Ｂが取り付けられている。バケットシリンダ９にはバケットロッド圧センサＳ９Ｒ及びバケットボトム圧センサＳ９Ｂが取り付けられている。
【００１７】
ブームロッド圧センサＳ７Ｒはブームシリンダ７のロッド側油室の圧力（以下、「ブームロッド圧」とする。）を検出し、ブームボトム圧センサＳ７Ｂはブームシリンダ７のボトム側油室の圧力（以下、「ブームボトム圧」とする。）を検出する。アームロッド圧センサＳ８Ｒはアームシリンダ８のロッド側油室の圧力（以下、「アームロッド圧」とする。）を検出し、アームボトム圧センサＳ８Ｂはアームシリンダ８のボトム側油室の圧力（以下、「アームボトム圧」とする。）を検出する。バケットロッド圧センサＳ９Ｒはバケットシリンダ９のロッド側油室の圧力（以下、「バケットロッド圧」とする。）を検出し、バケットボトム圧センサＳ９Ｂはバケットシリンダ９のボトム側油室の圧力（以下、「バケットボトム圧」とする。）を検出する。
【００１８】
上部旋回体３には運転室であるキャビン１０が設けられ且つエンジン１１等の動力源が搭載されている。また、上部旋回体３には機体傾斜センサＳ４、旋回角速度センサＳ５、及びカメラＳ６が取り付けられている。
【００１９】
機体傾斜センサＳ４は水平面に対する上部旋回体３の傾斜を検出する。本実施形態では、機体傾斜センサＳ４は上部旋回体３の前後軸及び左右軸回りの傾斜角を検出する加速度センサである。上部旋回体３の前後軸及び左右軸は、例えば、互いに直交してショベルの旋回軸上の一点であるショベル中心点を通る。
【００２０】
旋回角速度センサＳ５は、上部旋回体３の旋回角速度を検出する。本実施形態では、ジャイロセンサである。レゾルバ、ロータリエンコーダ等であってもよい。
【００２１】
カメラＳ６はショベルの周辺の画像を取得する。本実施形態では、カメラＳ６は上部旋回体３に取り付けられる前方カメラを含む。前方カメラは、ショベルの前方を撮像するステレオカメラであり、キャビン１０の屋根、すなわちキャビン１０の外部に取り付けられている。キャビン１０の天井、すなわちキャビン１０の内部に取り付けられていてもよい。前方カメラは、掘削アタッチメントを撮像可能である。前方カメラは、単眼カメラであってもよい。
【００２２】
キャビン１０内にはコントローラ３０が設置されている。コントローラ３０は、ショベルの駆動制御を行う主制御部として機能する。本実施形態では、コントローラ３０は、ＣＰＵ、ＲＡＭ、ＲＯＭ等を含むコンピュータで構成されている。コントローラ３０の各種機能は、例えば、ＲＯＭに格納されたプログラムをＣＰＵが実行することで実現される。
【００２３】
図２は、図１のショベルの駆動系の構成例を示すブロック図であり、機械的動力伝達ライン、作動油ライン、パイロットライン、及び電気制御ラインをそれぞれ二重線、太実線、破線、及び点線で示している。
【００２４】
ショベルの駆動系は、主に、エンジン１１、レギュレータ１３、メインポンプ１４、パイロットポンプ１５、コントロールバルブ１７、操作装置２６、吐出圧センサ２８、操作圧センサ２９、コントローラ３０、比例弁３１等を含む。
【００２５】
エンジン１１は、ショベルの駆動源である。本実施形態では、エンジン１１は、例えば、所定の回転数を維持するように動作するディーゼルエンジンである。また、エンジン１１の出力軸は、メインポンプ１４及びパイロットポンプ１５の入力軸に連結されている。
【００２６】
メインポンプ１４は、作動油ラインを介して作動油をコントロールバルブ１７に供給する。本実施形態では、メインポンプ１４は、斜板式可変容量型油圧ポンプである。
【００２７】
レギュレータ１３は、メインポンプ１４の吐出量を制御する。本実施形態では、レギュレータ１３は、コントローラ３０からの制御指令に応じてメインポンプ１４の斜板傾転角を調節することによってメインポンプ１４の吐出量を制御する。
【００２８】
パイロットポンプ１５は、パイロットラインを介して操作装置２６及び比例弁３１を含む各種油圧制御機器に作動油を供給する。本実施形態では、パイロットポンプ１５は、固定容量型油圧ポンプである。
【００２９】
コントロールバルブ１７は、ショベルにおける油圧システムを制御する油圧制御装置である。コントロールバルブ１７は、制御弁１７１〜１７６、及び、ブリード弁１７７を含む。コントロールバルブ１７は、制御弁１７１〜１７６を通じ、メインポンプ１４が吐出する作動油を１又は複数の油圧アクチュエータに選択的に供給できる。制御弁１７１〜１７６は、メインポンプ１４から油圧アクチュエータに流れる作動油の流量、及び、油圧アクチュエータから作動油タンクに流れる作動油の流量を制御する。油圧アクチュエータは、ブームシリンダ７、アームシリンダ８、バケットシリンダ９、左側走行用油圧モータ１Ａ、右側走行用油圧モータ１Ｂ、及び旋回用油圧モータ２Ａを含む。ブリード弁１７７は、メインポンプ１４が吐出する作動油のうち、油圧アクチュエータを経由せずに作動油タンクに流れる作動油の流量（以下、「ブリード流量」とする。）を制御する。ブリード弁１７７は、コントロールバルブ１７の外部に設置されていてもよい。
【００３０】
操作装置２６は、操作者が油圧アクチュエータの操作のために用いる装置である。本実施形態では、操作装置２６は、パイロットラインを介して、パイロットポンプ１５が吐出する作動油を油圧アクチュエータのそれぞれに対応する制御弁のパイロットポートに供給する。パイロットポートのそれぞれに供給される作動油の圧力（パイロット圧）は、油圧アクチュエータのそれぞれに対応する操作装置２６のレバー又はペダル（図示せず。）の操作方向及び操作量に応じた圧力である。
【００３１】
吐出圧センサ２８は、メインポンプ１４の吐出圧を検出する。本実施形態では、吐出圧センサ２８は、検出した値をコントローラ３０に対して出力する。
【００３２】
操作圧センサ２９は、操作装置２６を用いた操作者の操作内容を検出する。本実施形態では、操作圧センサ２９は、油圧アクチュエータのそれぞれに対応する操作装置２６のレバー又はペダルの操作方向及び操作量を圧力（操作圧）の形で検出し、検出した値をコントローラ３０に対して出力する。操作装置２６の操作内容は、操作圧センサ以外の他のセンサを用いて検出されてもよい。
【００３３】
比例弁３１は、コントローラ３０が出力する制御指令に応じて動作する。本実施形態では、比例弁３１は、コントローラ３０が出力する電流指令に応じてパイロットポンプ１５からコントロールバルブ１７内のブリード弁１７７のパイロットポートに導入される二次圧を調整する電磁弁である。比例弁３１は、例えば、電流指令が大きいほど、ブリード弁１７７のパイロットポートに導入される二次圧が大きくなるように動作する。
【００３４】
次に図３を参照し、ショベルに搭載される油圧回路の構成例について説明する。図３は、図１のショベルに搭載される油圧回路の構成例を示す概略図である。図３は、図２と同様に、機械的動力伝達ライン、作動油ライン、パイロットライン、及び電気制御ラインを、それぞれ二重線、太実線、破線、及び点線で示している。
【００３５】
図３の油圧回路は、エンジン１１によって駆動されるメインポンプ１４Ｌ、１４Ｒから、管路４２Ｌ、４２Ｒを経て作動油タンクまで作動油を循環させている。メインポンプ１４Ｌ、１４Ｒは、図２のメインポンプ１４に対応する。
【００３６】
管路４２Ｌは、コントロールバルブ１７内に配置された制御弁１７１、１７３、１７５Ｌ及び１７６Ｌのそれぞれをメインポンプ１４Ｌと作動油タンクとの間で並列に接続する作動油ラインである。管路４２Ｒは、コントロールバルブ１７内に配置された制御弁１７２、１７４、１７５Ｒ及び１７６Ｒのそれぞれをメインポンプ１４Ｒと作動油タンクとの間で並列に接続する作動油ラインである。
【００３７】
制御弁１７１は、メインポンプ１４Ｌが吐出する作動油を左側走行用油圧モータ１Ａへ供給し、且つ、左側走行用油圧モータ１Ａが吐出する作動油を作動油タンクへ排出するために作動油の流れを切り換えるスプール弁である。
【００３８】
制御弁１７２は、メインポンプ１４Ｒが吐出する作動油を右側走行用油圧モータ１Ｂへ供給し、且つ、右側走行用油圧モータ１Ｂが吐出する作動油を作動油タンクへ排出するために作動油の流れを切り換えるスプール弁である。
【００３９】
制御弁１７３は、メインポンプ１４Ｌが吐出する作動油を旋回用油圧モータ２Ａへ供給し、且つ、旋回用油圧モータ２Ａが吐出する作動油を作動油タンクへ排出するために作動油の流れを切り換えるスプール弁である。
【００４０】
制御弁１７４は、メインポンプ１４Ｒが吐出する作動油をバケットシリンダ９へ供給し、且つ、バケットシリンダ９内の作動油を作動油タンクへ排出するためのスプール弁である。
【００４１】
制御弁１７５Ｌ、１７５Ｒは、メインポンプ１４Ｌ、１４Ｒが吐出する作動油をブームシリンダ７へ供給し、且つ、ブームシリンダ７内の作動油を作動油タンクへ排出するために作動油の流れを切り換えるスプール弁である。
【００４２】
制御弁１７６Ｌ、１７６Ｒは、メインポンプ１４Ｌ、１４Ｒが吐出する作動油をアームシリンダ８へ供給し、且つ、アームシリンダ８内の作動油を作動油タンクへ排出するために作動油の流れを切り換えるスプール弁である。
【００４３】
ブリード弁１７７Ｌは、メインポンプ１４Ｌが吐出する作動油に関するブリード流量を制御するスプール弁である。ブリード弁１７７Ｒは、メインポンプ１４Ｒが吐出する作動油に関するブリード流量を制御するスプール弁である。ブリード弁１７７Ｌ、１７７Ｒは図２のブリード弁１７７に対応する。
【００４４】
ブリード弁１７７Ｌ、１７７Ｒは、例えば、最小開口面積（開度０％）の第１弁位置と最大開口面積（開度１００％）の第２弁位置とを有する。ブリード弁１７７Ｌ、１７７Ｒは、第１弁位置と第２弁位置との間で無段階に移動可能である。
【００４５】
レギュレータ１３Ｌ、１３Ｒは、メインポンプ１４Ｌ、１４Ｒの斜板傾転角を調節することによって、メインポンプ１４Ｌ、１４Ｒの吐出量を制御する。レギュレータ１３Ｌ、１３Ｒは、図２のレギュレータ１３に対応する。コントローラ３０は、例えば、メインポンプ１４Ｌ、１４Ｒの吐出圧の増大に応じてメインポンプ１４Ｌ、１４Ｒの斜板傾転角をレギュレータ１３Ｌ、１３Ｒで調節して吐出量を減少させる。吐出圧と吐出量との積で表されるメインポンプ１４の吸収馬力がエンジン１１の出力馬力を超えないようにするためである。
【００４６】
アーム操作レバー２６Ａは、操作装置２６の一例であり、アーム５を操作するために用いられる。アーム操作レバー２６Ａは、パイロットポンプ１５が吐出する作動油を利用し、レバー操作量に応じた制御圧を制御弁１７６Ｌ、１７６Ｒのパイロットポートに導入させる。具体的には、アーム操作レバー２６Ａは、アーム閉じ方向に操作された場合に、制御弁１７６Ｌの右側パイロットポートに作動油を導入させ、且つ、制御弁１７６Ｒの左側パイロットポートに作動油を導入させる。また、アーム操作レバー２６Ａは、アーム開き方向に操作された場合には、制御弁１７６Ｌの左側パイロットポートに作動油を導入させ、且つ、制御弁１７６Ｒの右側パイロットポートに作動油を導入させる。
【００４７】
ブーム操作レバー２６Ｂは、操作装置２６の一例であり、ブーム４を操作するために用いられる。ブーム操作レバー２６Ｂは、パイロットポンプ１５が吐出する作動油を利用し、レバー操作量に応じた制御圧を制御弁１７５Ｌ、１７５Ｒのパイロットポートに導入させる。具体的には、ブーム操作レバー２６Ｂは、ブーム上げ方向に操作された場合に、制御弁１７５Ｌの右側パイロットポートに作動油を導入させ、且つ、制御弁１７５Ｒの左側パイロットポートに作動油を導入させる。また、ブーム操作レバー２６Ｂは、ブーム下げ方向に操作された場合には、制御弁１７５Ｌの左側パイロットポートに作動油を導入させ、且つ、制御弁１７５Ｒの右側パイロットポートに作動油を導入させる。
【００４８】
吐出圧センサ２８Ｌ、２８Ｒは、吐出圧センサ２８の一例であり、メインポンプ１４Ｌ、１４Ｒの吐出圧を検出し、検出した値をコントローラ３０に対して出力する。
【００４９】
操作圧センサ２９Ａ、２９Ｂは、操作圧センサ２９の一例であり、アーム操作レバー２６Ａ、ブーム操作レバー２６Ｂに対する操作者の操作内容を圧力の形で検出し、検出した値をコントローラ３０に対して出力する。操作内容は、例えば、レバー操作方向、レバー操作量（レバー操作角度）等である。
【００５０】
左右走行レバー（又はペダル）、バケット操作レバー、及び旋回操作レバー（何れも図示せず。）はそれぞれ、下部走行体１の走行、バケット６の開閉、及び、上部旋回体３の旋回を操作するための操作装置である。これらの操作装置は、アーム操作レバー２６Ａ、ブーム操作レバー２６Ｂと同様に、パイロットポンプ１５が吐出する作動油を利用し、レバー操作量（又はペダル操作量）に応じた制御圧を油圧アクチュエータのそれぞれに対応する制御弁の左右何れかのパイロットポートに導入させる。これらの操作装置のそれぞれに対する操作者の操作内容は、操作圧センサ２９Ａ、２９Ｂと同様に、対応する操作圧センサによって圧力の形で検出され、検出値がコントローラ３０に対して出力される。
【００５１】
コントローラ３０は、操作圧センサ２９Ａ、２９Ｂ等の出力を受信し、必要に応じてレギュレータ１３Ｌ、１３Ｒに対して制御指令を出力し、メインポンプ１４Ｌ、１４Ｒの吐出量を変化させる。また、必要に応じて比例弁３１Ｌ１、３１Ｌ２、３１Ｒ１、３１Ｒ２に対して電流指令を出力し、ブリード弁１７７Ｌ、１７７Ｒ、及び、ネガティブコントロール絞り１８Ｌ、１８Ｒ（以下、「ネガコン絞り１８Ｌ、１８Ｒ」とする。）の開口面積を変化させる。
【００５２】
比例弁３１Ｌ１、３１Ｒ１は、コントローラ３０が出力する電流指令に応じてパイロットポンプ１５からブリード弁１７７Ｌ、１７７Ｒのパイロットポートに導入される二次圧を調整する。比例弁３１Ｌ２、３１Ｒ２は、コントローラ３０が出力する電流指令に応じてパイロットポンプ１５からネガコン絞り１８Ｌ、１８Ｒに導入される二次圧を調整する。比例弁３１Ｌ１、３１Ｌ２、３１Ｒ１、３１Ｒ２は、図２の比例弁３１に対応する。
【００５３】
比例弁３１Ｌ１は、ブリード弁１７７Ｌを第１弁位置と第２弁位置の間の任意の位置で停止できるように二次圧を調整可能である。比例弁３１Ｒ１は、ブリード弁１７７Ｒを第１弁位置と第２弁位置の間の任意の位置で停止できるように二次圧を調整可能である。
【００５４】
比例弁３１Ｌ２は、ネガコン絞り１８Ｌの開口面積を調整できるように二次圧を調整可能である。比例弁３１Ｒ２は、ネガコン絞り１８Ｒの開口面積を調整できるように二次圧を調整可能である。
【００５５】
次に、図３の油圧回路で採用されるネガティブコントロール制御（以下、「ネガコン制御」とする。）について説明する。
【００５６】
管路４２Ｌ、４２Ｒには、最も下流にあるブリード弁１７７Ｌ、１７７Ｒのそれぞれと作動油タンクとの間にネガコン絞り１８Ｌ、１８Ｒが配置されている。ブリード弁１７７Ｌ、１７７Ｒを通過して作動油タンクに至る作動油の流れは、ネガコン絞り１８Ｌ、１８Ｒで制限される。そして、ネガコン絞り１８Ｌ、１８Ｒは、レギュレータ１３Ｌ、１３Ｒを制御するための制御圧（以下、「ネガコン圧」とする。）を発生させる。ネガコン圧センサ１９Ｌ、１９Ｒは、ネガコン圧を検出するためのセンサであり、検出した値をコントローラ３０に対して出力する。
【００５７】
本実施形態では、ネガコン絞り１８Ｌ、１８Ｒは、比例弁３１Ｌ２、３１Ｒ２の二次圧に応じて開口面積が変化する可変絞りである。ネガコン絞り１８Ｌ、１８Ｒは、例えば、比例弁３１Ｌ２、３１Ｒ２の二次圧が増大するにつれて開口面積が小さくなる。但し、ネガコン絞り１８Ｌ、１８Ｒは、固定絞りであってもよい。
【００５８】
コントローラ３０は、ネガコン圧に応じてメインポンプ１４Ｌ、１４Ｒの斜板傾転角を調節することによって、メインポンプ１４Ｌ、１４Ｒの吐出量を制御する。以下では、ネガコン圧とメインポンプ１４Ｌ、１４Ｒの吐出量との関係を「ネガコン特性」と称する。ネガコン特性は、例えば、参照テーブルとしてＲＯＭ等に記憶されていてもよく、所定の計算式で表現されていてもよい。コントローラ３０は、例えば、所定のネガコン特性を表すテーブルを参照し、ネガコン圧が大きいほどメインポンプ１４Ｌ、１４Ｒの吐出量を減少させ、ネガコン圧が小さいほどメインポンプ１４Ｌ、１４Ｒの吐出量を増大させる。
【００５９】
具体的には、図３で示されるように油圧アクチュエータが何れも操作されていない待機状態の場合、メインポンプ１４Ｌ、１４Ｒが吐出する作動油は、ブリード弁１７７Ｌ、１７７Ｒを通ってネガコン絞り１８Ｌ、１８Ｒに至る。そして、ブリード弁１７７Ｌ、１７７Ｒを通過する作動油の流れは、ネガコン絞り１８Ｌ、１８Ｒの上流で発生するネガコン圧を増大させる。その結果、コントローラ３０は、メインポンプ１４Ｌ、１４Ｒの吐出量を所定の許容最小吐出量まで減少させ、吐出された作動油が管路４２Ｌ、４２Ｒを通過する際の圧力損失（ポンピングロス）を抑制する。待機状態におけるこの所定の許容最小吐出量は、ブリード流量の一例であり、以下では、「スタンバイ流量」と称する。
【００６０】
一方、何れかの油圧アクチュエータが操作された場合、メインポンプ１４Ｌ、１４Ｒが吐出する作動油は、操作対象の油圧アクチュエータに対応する制御弁を通って操作対象の油圧アクチュエータに流れ込む。そのため、ブリード弁１７７Ｌ、１７７Ｒを通ってネガコン絞り１８Ｌ、１８Ｒに至るブリード流量は減少し、ネガコン絞り１８Ｌ、１８Ｒの上流で発生するネガコン圧は低下する。その結果、コントローラ３０は、メインポンプ１４Ｌ、１４Ｒの吐出量を増大させ、操作対象の油圧アクチュエータに十分な作動油を供給し、操作対象の油圧アクチュエータの駆動を確かなものとする。なお、以下では、油圧アクチュエータに流れ込む作動油の流量を「アクチュエータ流量」と称する。この場合、メインポンプ１４Ｌ、１４Ｒが吐出する作動油の流量は、アクチュエータ流量とブリード流量の合計に相当する。
【００６１】
上述のような構成により、図３の油圧回路は、油圧アクチュエータを作動させる場合には、メインポンプ１４Ｌ、１４Ｒから必要十分な作動油を作動対象の油圧アクチュエータに確実に供給できる。また、待機状態においては、油圧エネルギの無駄な消費を抑制できる。ブリード流量をスタンバイ流量まで低減させることができるためである。
【００６２】
しかしながら、図３の油圧回路は、待機状態においてもなお、スタンバイ流量分の作動油を常にネガコン絞り１８Ｌ、１８Ｒに供給している。また、油圧アクチュエータを作動させている場合においては、常に、ある程度の量の作動油をブリード流量としてネガコン絞り１８Ｌ、１８Ｒに供給している。ネガコン圧を生成するためである。また、油圧アクチュエータの動きに応じて吐出量を迅速に変化させることができるようにするためである。
【００６３】
ブリード流量が小さいほど、油圧エネルギの無駄な消費の抑制による効果は大きくなるが、油圧アクチュエータへ流れる作動油の流量が変動し易くなる。この場合、油圧系の振動系において圧力変動が生じた際に、圧力変動に対して流量変動が大きいと、振動が大きくなってしまう。これは、２次振動系の減衰項が−∂Ｑ／∂Ｐで表されることによる。なお、Ｐはメインポンプ１４の吐出圧（油圧アクチュエータの負荷圧）を表し、Ｑは油圧アクチュエータに流入する作動油の流量を表す。そのため、負荷の増大により圧力変動が大きくなった場合には、油圧アクチュエータに流入する作動油の流量変動を小さくすべく、ブリード流量を大きくする方が望ましい。従って、一律にブリード流量を小さくすることは適切でない。
【００６４】
そこで、コントローラ３０のブリード弁制御部３００は、圧力脈動の大きさに応じてブリード流量を変化させることで、油圧エネルギの無駄な消費の抑制と圧力脈動の抑制の両立を図っている。
【００６５】
ブリード弁制御部３００は、例えば、メインポンプ１４が吐出する作動油の圧力における脈動の大きさに応じてブリード弁１７７の開口面積を制御する。ブームロッド圧、ブームボトム圧、アームロッド圧、アームボトム圧等、動作中の油圧アクチュエータにおける作動油の圧力脈動の大きさに応じてブリード弁１７７の開口面積を制御してもよい。ブリード弁制御部３００は、例えば、脈動が大きいほど、ブリード弁１７７の開口面積を大きくする。ブリード流量（待機状態でのスタンバイ流量を含む。）を増大させて脈動の減衰性を高めることで脈動を抑制するためである。一方で、ブリード弁制御部３００は、脈動が小さいほど、ブリード弁１７７の開口面積を小さくする。ブリード流量（待機状態でのスタンバイ流量を含む。）を減少させて無駄に捨てられる作動油の量を抑制するためである。
【００６６】
ブリード弁制御部３００は、情報取得装置が取得する脈動に関する情報に基づいて脈動の大きさを算出してもよい。脈動に関する情報は、ブーム角度α、アーム角度β、バケット角度γ、ブームロッド圧、ブームボトム圧、アームロッド圧、アームボトム圧、バケットロッド圧、バケットボトム圧、カメラＳ６の撮像画像、メインポンプ１４の吐出圧、操作装置２６の操作圧等のうちの少なくとも１つを含む。情報取得装置は、ブーム角度センサＳ１、アーム角度センサＳ２、バケット角度センサＳ３、機体傾斜センサＳ４、旋回角速度センサＳ５、カメラＳ６、ブームロッド圧センサＳ７Ｒ、ブームボトム圧センサＳ７Ｂ、アームロッド圧センサＳ８Ｒ、アームボトム圧センサＳ８Ｂ、バケットロッド圧センサＳ９Ｒ、バケットボトム圧センサＳ９Ｂ、吐出圧センサ２８、操作圧センサ２９等のうちの少なくとも１つを含む。ブリード弁制御部３００は、脈動の大きさを複数段階で判定してもよい。この場合、ブリード弁制御部３００は、例えば、吐出圧センサ２８の出力に基づいて脈動の大きさを「大」、「中」、「小」の３段階で判定する。具体的には、所定時間におけるポンプ吐出圧の変動幅が第１閾値以上の場合に「大」と判定し、その変動幅が第１閾値未満で且つ第２閾値以上の場合に「中」と判定し、その変動幅が第２閾値未満の場合に「小」と判定する。
【００６７】
そして、ブリード弁制御部３００は、例えば、脈動の大きさに対応する制御指令を比例弁３１に対して出力することで、ブリード弁１７７の開口面積を増減させる。ブリード弁制御部３００は、例えば、脈動が大きいほど、比例弁３１に対する電流指令を低減させて比例弁３１の二次圧を低減させることで、ブリード弁１７７の開口面積を増大させる。脈動を抑制するためである。反対に、脈動が小さいほど、比例弁３１に対する電流指令を増大させて比例弁３１の二次圧を増大させることで、ブリード弁１７７の開口面積を低減させる。無駄に捨てられる作動油の量を抑制するためである。
【００６８】
また、ブリード弁制御部３００は、ブリード弁１７７の開口面積の増減に合わせてネガコン特性を変化させる。本実施形態では、ブリード弁制御部３００は、ブリード弁１７７の開口面積の増減に合わせてネガコン絞り１８Ｌ、１８Ｒの開口面積を増減させることでネガコン特性を変化させる。ブリード流量を増減させた場合であっても、レバー操作量とアクチュエータ流量との関係が変化しないようにするためである。
【００６９】
ブリード弁制御部３００は、例えば、脈動が大きいほど、ネガコン特性を高脈動時ネガコン設定側にシフトさせ、脈動が小さいほど、ネガコン特性を低脈動時ネガコン設定側にシフトさせる。
【００７０】
高脈動時ネガコン設定は、低脈動時ネガコン設定に比べ、スタンバイ流量が大きく、且つ、ネガコン圧の上昇に対する吐出量の減少率が緩やかである。すなわち、ネガコン圧が同じであれば、高脈動時ネガコン設定におけるメインポンプ１４の吐出量は、低脈動時ネガコン設定における吐出量よりも大きい。また、同じ吐出量を実現する場合、高脈動時ネガコン設定におけるネガコン圧は、低脈動時ネガコン設定におけるネガコン圧よりも高い。但し、アクチュエータ流量は、レバー操作量を含む他の条件が同じであれば、ネガコン特性の違いにかかわらず同じである。例えば、ブーム上げ操作量を含む他の条件が同じであれば、ブリード流量の違い、及び、ネガコン特性の違いにかかわらず、ブームシリンダ７のボトム側油室に流入する作動油の流量は同じである。
【００７１】
このように、ブリード弁制御部３００は、脈動の大きさを算出し、脈動の大きさに対応する制御指令を比例弁３１に対して出力する。比例弁３１は、ブリード弁１７７を作動させてブリード流量を増減させる。この構成により、コントローラ３０は、脈動が大きい場合にはブリード流量を増大させることで脈動を抑制することができる。また、脈動が小さい場合にはブリード流量を減少させることで無駄に捨てられてしまう作動油の量を抑制できる。
【００７２】
また、図３では、メインポンプ１４Ｌから油圧アクチュエータに向かう作動油の流れを制御する制御弁１７１、１７３、１７５Ｌ及び１７６Ｌのそれぞれは、メインポンプ１４Ｌと作動油タンクとの間で互いに並列に接続されている。しかしながら、制御弁１７１、１７３、１７５Ｌ及び１７６Ｌのそれぞれは、メインポンプ１４Ｌと作動油タンクとの間で直列に接続されていてもよい。この場合、各制御弁を構成するスプールが何れの弁位置に切り換えられていたとしても、管路４２Ｌは、スプールで遮断されることなく、下流側に配置された隣接する制御弁に作動油を供給できる。
【００７３】
同様に、メインポンプ１４Ｒから油圧アクチュエータに向かう作動油の流れを制御する制御弁１７２、１７４、１７５Ｒ及び１７６Ｒのそれぞれは、メインポンプ１４Ｒと作動油タンクとの間で互いに並列に接続されている。しかしながら、制御弁１７２、１７４、１７５Ｒ及び１７６Ｒのそれぞれは、メインポンプ１４Ｒと作動油タンクとの間で直列に接続されていてもよい。この場合、各制御弁を構成するスプールが何れの弁位置に切り換えられていたとしても、管路４２Ｒは、スプールで遮断されることなく、下流側に配置された隣接する制御弁に作動油を供給できる。
【００７４】
次に、図４及び図５を参照し、ブリード弁制御部３００がブリード流量を増減させる処理（以下、「ブリード流量増減処理」とする。）について説明する。図４は、ブリード流量増減処理の一例のフローチャートを示す。ブリード弁制御部３００は、ショベルの稼働中に所定の制御周期で繰り返しこの処理を実行する。図５は、ブーム上げ操作中にブリード流量増減処理を実行しているときのポンプ吐出圧と比例弁特性の時間的推移を示す。比例弁特性は、ブーム操作レバー２６Ｂの操作圧と比例弁３１の目標二次圧との関係を意味する。比例弁特性は、例えば、ネガコン特性と同様に、参照テーブルとしてＲＯＭ等に記憶されていてもよく、所定の計算式で表現されていてもよい。図４及び図５の例では、比例弁特性は、高脈動時比例弁設定及び低脈動時比例弁設定の２つから選択される。高脈動時比例弁設定での比例弁３１の目標二次圧は、ブーム操作レバー２６Ｂの操作圧が同じである場合、低脈動時比例弁設定での比例弁３１の目標二次圧よりも低い。すなわち、高脈動時比例弁設定でのブリード弁１７７の開口面積は、ブーム操作レバー２６Ｂの操作圧が同じである場合、低脈動時比例弁設定でのブリード弁１７７の開口面積よりも大きい。また、高脈動時比例弁設定でのネガコン絞りの開口面積は、ブーム操作レバー２６Ｂの操作圧が同じである場合、低脈動時比例弁設定でのネガコン絞りの開口面積よりも大きい。
【００７５】
最初に、ブリード弁制御部３００は、油圧回路を流れる作動油における圧力脈動が大きいか否かを判定する（ステップＳＴ１）。図４の例では、ブリード弁制御部３００は、吐出圧センサ２８Ｌの出力に基づき、所定時間におけるメインポンプ１４Ｌの吐出圧の変動幅が所定の閾値より大きいか否かを判定する。そして、その変動幅が所定の閾値より大きいと判定した場合に、管路４２Ｌを流れる作動油における圧力脈動が大きいと判定する。管路４２Ｒを流れる作動油における圧力脈動についても同様である。以下の説明は、管路４２Ｌを流れる作動油における圧力脈動に関するが、管路４２Ｒを流れる作動油における圧力脈動にも同様に適用される。
【００７６】
圧力脈動が大きいと判定した場合（ステップＳＴ１のＹＥＳ）、ブリード弁制御部３００は、比例弁３１Ｌ１、３１Ｌ２の比例弁特性として高脈動時比例弁設定を選択し、且つ、ネガコン特性として高脈動時ネガコン設定を選択する（ステップＳＴ２）。図５の例では、ブリード弁制御部３００は、時刻ｔ１及び時刻ｔ３のそれぞれにおいて圧力脈動が大きいと判定し、比例弁３１Ｌ１、３１Ｌ２の比例弁特性として高脈動時比例弁設定を選択し、且つ、ネガコン特性として高脈動時ネガコン設定を選択している。
【００７７】
一方、圧力脈動が大きくないと判定した場合（ステップＳＴ１のＮＯ）、ブリード弁制御部３００は、比例弁３１Ｌ１、３１Ｌ２の比例弁特性として低脈動時比例弁設定を選択し、且つ、ネガコン特性として低脈動時ネガコン設定を選択する（ステップＳＴ３）。図５の例では、ブリード弁制御部３００は、時刻ｔ２において圧力脈動が大きくないと判定し、比例弁３１Ｌ１、３１Ｌ２の比例弁特性として低脈動時比例弁設定を選択し、且つ、ネガコン特性として低脈動時ネガコン設定を選択している。
【００７８】
その後、ブリード弁制御部３００は、選択した比例弁設定に基づいて比例弁３１Ｌ１、３１Ｌ２の目標二次圧を決定する（ステップＳＴ４）。図４の例では、ブリード弁制御部３００は、比例弁設定に関するテーブルを参照し、操作圧センサ２９Ｂが出力する操作圧に応じた目標二次圧を決定する。すなわち、目標二次圧は、そのときの脈動の大きさ、操作内容等といったショベルの状態に応じて異なる。また、ブリード弁１７７Ｌ及びネガコン絞り１８Ｌのそれぞれの開口面積は、その二次圧に応じて一意に決まる。
【００７９】
その後、ブリード弁制御部３００は、目標二次圧に対応する電流指令を比例弁３１Ｌ１、３１Ｌ２に対して出力する（ステップＳＴ５）。比例弁３１Ｌ１、３１Ｌ２は、例えば、高脈動時比例弁設定に関するテーブルを参照して決定された目標二次圧に対応する電流指令を受けた場合には、ブリード弁１７７Ｌ及びネガコン絞り１８Ｌのそれぞれのパイロットポートに作用する二次圧をその目標二次圧まで低減させる。そのため、ブリード弁１７７Ｌ及びネガコン絞り１８Ｌのそれぞれの開口面積が増大し、ブリード流量が増大し、ネガコン圧の応答性が高まり、圧力脈動の減衰性が高まる。その結果、ブーム上げ操作時におけるブームボトム圧の脈動を減衰させることができる。図５の例は、時刻ｔ１から時刻ｔ２の期間、及び、時刻ｔ３以降の期間で高脈動時比例弁設定が選択され、メインポンプ１４が吐出する作動油、すなわち、ブームシリンダ７のボトム側油室に流入する作動油の圧力脈動が減衰している様子を示している。このとき、ブリード弁制御部３００は、高脈動時ネガコン設定のテーブルを参照し、現在のネガコン圧に対応するメインポンプ１４Ｌの目標吐出量を決定し、その目標吐出量に対応する制御指令をレギュレータ１３Ｌに対して出力する。メインポンプ１４Ｌは、その目標吐出量を実現するようにレギュレータ１３Ｌによって制御される。
【００８０】
或いは、比例弁３１Ｌ１、３１Ｌ２は、例えば、低脈動時比例弁設定に関するテーブルを参照して決定された目標二次圧に対応する電流指令を受けた場合には、ブリード弁１７７Ｌ及びネガコン絞り１８Ｌのそれぞれのパイロットポートに作用する二次圧をその目標二次圧まで増大させる。そのため、ブリード弁１７７Ｌ及びネガコン絞り１８Ｌのそれぞれの開口面積が減少し、ブリード流量が減少する。その結果、ブーム上げ操作時における油圧エネルギの無駄な消費を抑制できる。図５の例は、時刻ｔ１以前の期間、及び、時刻ｔ２から時刻ｔ３の期間で低脈動時比例弁設定が選択されている様子を示している。このとき、ブリード弁制御部３００は、低脈動時ネガコン設定のテーブルを参照し、現在のネガコン圧に対応するメインポンプ１４Ｌの目標吐出量を決定し、その目標吐出量に対応する制御指令をレギュレータ１３Ｌに対して出力する。メインポンプ１４Ｌは、その目標吐出量を実現するようにレギュレータ１３Ｌによって制御される。
【００８１】
この構成により、ブリード弁制御部３００は、操作圧が同じであっても、圧力脈動が大きいときの比例弁３１の目標二次圧と、圧力脈動が小さいときの比例弁３１の目標二次圧とを異ならせることができる。すなわち、圧力脈動が大きいときのブリード流量と、圧力脈動が小さいときのブリード流量とを異ならせることができる。そのため、圧力脈動が大きいときにはブリード流量を増大させて圧力脈動を減衰させることができ、圧力脈動が小さいときにはブリード流量を低減させて油圧エネルギの無駄な消費を抑制できる。
【００８２】
図４及び図５に示す例では、ブリード弁制御部３００は、メインポンプ１４Ｌ、１４Ｒの吐出圧を検出する吐出圧センサ２８Ｌ、２８Ｒの検出値に基づいて圧力脈動が大きいか否かを判定する。しかしながら、ブリード弁制御部３００は、ブームロッド圧センサＳ７Ｒ、ブームボトム圧センサＳ７Ｂ、アームロッド圧センサＳ８Ｒ、アームボトム圧センサＳ８Ｂ、バケットロッド圧センサＳ９Ｒ、バケットボトム圧センサＳ９Ｂ等の、油圧回路内の作動油の圧力を検出する圧力センサの検出値に基づいて圧力脈動が大きいか否かを判定してもよい。
【００８３】
次に、図６を参照し、ブリード流量増減処理の別の一例について説明する。図６は、ブリード流量増減処理の別の一例のフローチャートを示す。ブリード弁制御部３００は、ショベルの稼働中に所定の制御周期で繰り返しこの処理を実行する。
【００８４】
最初に、ブリード弁制御部３００は、油圧回路を流れる作動油における圧力脈動の大きさを脈動度合いとして算出する（ステップＳＴ１１）。図６の例では、ブリード弁制御部３００は、吐出圧センサ２８Ｌの出力に基づき、所定時間におけるメインポンプ１４Ｌの吐出圧の変動幅を、管路４２Ｌを流れる作動油における圧力脈動の大きさを表す脈動度合いとして算出する。管路４２Ｒを流れる作動油における圧力脈動についても同様である。以下の説明は、管路４２Ｌを流れる作動油における圧力脈動に関するが、管路４２Ｒを流れる作動油における圧力脈動にも同様に適用される。
【００８５】
その後、ブリード弁制御部３００は、脈動度合いと操作圧に応じて比例弁３１Ｌ１、３１Ｌ２の目標二次圧を決定する（ステップＳＴ１２）。図６の例では、ブリード弁制御部３００は、算出した脈動度合いと、操作圧センサ２９Ｂが出力する操作圧とに応じた目標二次圧を決定する。
【００８６】
その後、ブリード弁制御部３００は、目標二次圧に対応する電流指令を比例弁３１Ｌ１、３１Ｌ２に対して出力する（ステップＳＴ１３）。比例弁３１Ｌ１、３１Ｌ２は、ブリード弁１７７Ｌ及びネガコン絞り１８Ｌのそれぞれのパイロットポートに作用する二次圧をその目標二次圧に調整する。そのため、ブリード弁１７７Ｌ及びネガコン絞り１８Ｌのそれぞれの開口面積を増大させた場合には、ネガコン圧の応答性を高め、且つ、圧力脈動の減衰性を高めることができる。その結果、ブーム上げ操作時におけるブームボトム圧の脈動を減衰させることができる。反対に、ブリード弁１７７Ｌ及びネガコン絞り１８Ｌのそれぞれの開口面積を低減させた場合には、油圧エネルギの無駄な消費を抑制できる
この構成により、ブリード弁制御部３００は、圧力脈動の大きさに応じて比例弁３１Ｌ１、３１Ｌ２の目標二次圧を無段階（シームレス）に決定することができる。そのため、圧力脈動が大きいほどブリード流量を増大させて圧力脈動を減衰させることができ、圧力脈動が小さいほどブリード流量を低減させて油圧エネルギの無駄な消費を抑制できる。
【００８７】
上述のように、本発明の実施形態に係るショベルは、ブリード流量を制御するブリード弁１７７と、メインポンプ１４が吐出する作動油の圧力における脈動の大きさに応じてブリード弁１７７の開口面積を制御するコントローラ３０とを備える。そのため、脈動が大きい場合にはブリード弁１７７の開口面積を増大させてブリード流量を増大させることで圧力脈動の減衰性を高めることができる。その結果、油圧回路を流れる作動油の圧力の脈動を抑制できる。また、脈動が小さい場合にはブリード弁１７７の開口面積を低減させてブリード流量を低減させることで油圧エネルギの無駄な消費を抑制できる。
【００８８】
以上、本発明の好ましい実施形態について詳説した。しかしながら、本発明は、上述した実施形態に制限されることはない。上述した実施形態は、本発明の範囲を逸脱することなしに、種々の変形、置換等が適用され得る。また、別々に説明された特徴は、技術的な矛盾が生じない限り、組み合わせが可能である。
【００８９】
例えば、上述の実施形態では、ネガコン絞り１８Ｌ、１８Ｒは、比例弁３１Ｌ２、３１Ｒ２の二次圧に応じて開口面積が変化する可変絞りである。そして、ネガコン絞り１８Ｌ、１８Ｒは、例えば、比例弁３１Ｌ２、３１Ｒ２の二次圧が増大するにつれて開口面積が小さくなるように構成されている。但し、ネガコン絞り１８Ｌ、１８Ｒは、図７に示すような固定絞りであってもよい。この場合、比例弁３１Ｌ２、３１Ｒ２は省略されてもよい。
【００９０】
図７の例では、ブリード弁１７７Ｌ、１７７Ｒの開口面積が増大してネガコン絞り１８Ｌ、１８Ｒに至るブリード流量が増大すると、固定絞りであるネガコン絞り１８Ｌ、１８Ｒによって生成されるネガコン圧は増大する。そのため、ブリード弁制御部３００は、ブリード弁１７７の開口面積の増減に応じ、ネガコン絞り１８Ｌ、１８Ｒの開口面積を増減させる代わりに、レギュレータ１３Ｌ、１３Ｒの動きを調整することで、すなわち、メインポンプ１４Ｌ、１４Ｒの斜板傾転角を調節することで、ネガコン特性を変化させる。ブリード流量を増減させた場合であっても、レバー操作量とアクチュエータ流量との関係が変化しないようにするためである。
【００９１】
この構成により、図７に示す油圧回路を搭載するショベルは、図３に示す油圧回路を搭載するショベルによって実現される効果と同様の効果を実現できる。
【００９２】
また、上述の実施形態では、メインポンプ１４Ｌから油圧アクチュエータに向かう作動油の流れを制御する制御弁１７１、１７３、１７５Ｌ及び１７６Ｌのそれぞれは、管路４２Ｌを通じ、メインポンプ１４Ｌと作動油タンクとの間で互いに並列に接続されている。しかしながら、制御弁１７１、１７３、１７５Ｌ及び１７６Ｌのそれぞれは、メインポンプ１４Ｌと作動油タンクとの間で直列に接続されていてもよい。例えば、制御弁１７１、１７３、１７５Ｌ及び１７６Ｌは、第１のセンターバイパス管路を介して直列に接続されていてもよい。この場合、第１のセンターバイパス管路を流れる作動油は、各制御弁を構成するスプールが何れの弁位置に切り換えられていたとしても、スプールで遮断されない。このため、各制御弁を構成するスプールが何れの弁位置に切り換えられていたとしても、第１のセンターバイパス管路を流れる作動油は、下流側に配置された隣接する制御弁に達することができる。
【００９３】
同様に、制御弁１７２、１７４、１７５Ｒ及び１７６Ｒのそれぞれは、メインポンプ１４Ｒと作動油タンクとの間で直列に接続されていてもよい。例えば、制御弁１７２、１７４、１７５Ｒ及び１７６Ｒは、第２のセンターバイパス管路を介して直列に接続されていてもよい。この場合、第２のセンターバイパス管路を流れる作動油は、各制御弁を構成するスプールが何れの弁位置に切り換えられていたとしても、スプールで遮断されない。このため、各制御弁を構成するスプールが何れの弁位置に切り換えられていたとしても、第２のセンターバイパス管路を流れる作動油は、下流側に配置された隣接する制御弁に達することができる。
【００９４】
この構成により、上記した油圧回路を搭載するショベルは、図３及び図７のそれぞれに示す油圧回路を搭載するショベルによって実現される効果と同様の効果を実現できる。
【００９５】
本願は、２０１７年３月１０日に出願した日本国特許出願２０１７−０４６７７０号に基づく優先権を主張するものであり、この日本国特許出願の全内容を本願に参照により援用する。
【符号の説明】
【００９６】
１・・・下部走行体  １Ａ・・・左側走行用油圧モータ  １Ｂ・・・右側走行用油圧モータ  ２・・・旋回機構  ２Ａ・・・旋回用油圧モータ  ３・・・上部旋回体  ４・・・ブーム  ５・・・アーム  ６・・・バケット  ７・・・ブームシリンダ  ８・・・アームシリンダ  ９・・・バケットシリンダ  １０・・・キャビン  １１・・・エンジン  １３、１３Ｌ、１３Ｒ・・・レギュレータ  １４、１４Ｌ、１４Ｒ・・・メインポンプ  １５・・・パイロットポンプ  １７・・・コントロールバルブ  １８Ｌ、１８Ｒ・・・ネガコン絞り  １９Ｌ、１９Ｒ・・・ネガコン圧センサ  ２６・・・操作装置  ２６Ａ・・・アーム操作レバー  ２６Ｂ・・・ブーム操作レバー  ２８、２８Ｌ、２８Ｒ・・・吐出圧センサ  ２９、２９Ａ、２９Ｂ・・・操作圧センサ  ３０・・・コントローラ  ３１、３１Ｌ１、３１Ｌ２、３１Ｒ１、３１Ｒ２・・・比例弁  ４２Ｌ、４２Ｒ・・・管路  １７１〜１７４、１７５Ｌ、１７５Ｒ、１７６Ｌ、１７６Ｒ・・・制御弁  １７７、１７７Ｌ、１７７Ｒ・・・ブリード弁  ３００・・・ブリード弁制御部  Ｓ１・・・ブーム角度センサ  Ｓ２・・・アーム角度センサ  Ｓ３・・・バケット角度センサ  Ｓ４・・・機体傾斜センサ  Ｓ５・・・旋回角速度センサ  Ｓ６・・・カメラ  Ｓ７Ｂ・・・ブームボトム圧センサ  Ｓ７Ｒ・・・ブームロッド圧センサ  Ｓ８Ｂ・・・アームボトム圧センサ  Ｓ８Ｒ・・・アームロッド圧センサ  Ｓ９Ｂ・・・バケットボトム圧センサ  Ｓ９Ｒ・・・バケットロッド圧センサ
【図１】
2018164263.tif 000003
【図２】
2018164263.tif 000004
【図３】
2018164263.tif 000005
【図４】
2018164263.tif 000006
【図５】
2018164263.tif 000007
【図６】
2018164263.tif 000008
【図７】
2018164263.tif 000009
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
下部走行体と、
前記下部走行体に旋回可能に搭載される上部旋回体と、
前記上部旋回体に搭載される油圧ポンプと、
前記油圧ポンプが吐出する作動油によって駆動される油圧アクチュエータと、
前記油圧ポンプが吐出する作動油のうち、前記油圧アクチュエータを経由せずに作動油タンクに流れる作動油の流量を制御するブリード弁と、
前記油圧ポンプから前記油圧アクチュエータへ供給される作動油の圧力における脈動の大きさに応じて前記ブリード弁の開口面積を制御する制御装置と、を備える、
ショベル。
【請求項２】
前記制御装置は、脈動が小さいほど、前記ブリード弁の開口面積を小さくする、
請求項１に記載のショベル。
【請求項３】
下部走行体と、
前記下部走行体に旋回可能に搭載される上部旋回体と、
前記上部旋回体に搭載される油圧ポンプと、
前記油圧ポンプが吐出する作動油によって駆動される油圧アクチュエータと、
前記油圧ポンプが吐出する作動油のうち、前記油圧アクチュエータを経由せずに作動油タンクに流れる作動油の流量を制御する絞りと、
前記油圧ポンプから前記油圧アクチュエータへ供給される作動油の圧力における脈動の大きさに応じて前記絞りの開口面積を制御する制御装置と、を備える、
ショベル。
【請求項４】
前記制御装置は、脈動が小さいほど、前記絞りの開口面積を小さくする、
請求項３に記載のショベル。
【請求項５】
前記油圧ポンプから前記油圧アクチュエータに向かう作動油の流れを制御する制御弁のそれぞれは、前記油圧ポンプと前記作動油タンクとの間で互いに並列に接続されている、
請求項１又は３に記載のショベル。
【請求項６】
前記油圧ポンプが吐出する作動油の圧力を検出する圧力センサを備え、
前記制御装置は、前記圧力センサの検出値に基づいて作動油の圧力における脈動の大きさを検出する、
請求項１又は３に記載のショベル。
【請求項７】
前記油圧アクチュエータにおける作動油の圧力を検出する圧力センサを備え、
前記制御装置は、前記圧力センサの検出値に基づいて作動油の圧力における脈動の大きさを検出する、
請求項１又は３に記載のショベル。
【請求項８】
前記脈動の大きさを複数の段階で判定する、
請求項１又は３に記載のショベル。
【請求項９】
前記開口面積の増減に対応して、レギュレータを制御する制御圧とメインポンプの吐出量との関係を変化させる、
請求項１又は３に記載のショベル。
【請求項１０】
前記ブリード弁の下流側に固定絞りが配置される、
請求項１に記載のショベル。
【請求項１１】
前記油圧アクチュエータへの作動油を制御する制御弁を有し、
前記制御弁を構成するスプールの位置の変化によってメインポンプと前記作動油タンクとが前記スプールで遮断されない、
請求項１又は３に記載のショベル。
【請求項１２】
前記脈動は、作動油の圧力の変動幅である、
請求項１に記載のショベル。
【請求項１３】
前記開口面積を変化させてもレバー操作量と前記油圧アクチュエータへ流れる作動油の流量との関係が変化しない、
請求項１又は３に記載のショベル。
【国際調査報告】
2018164263.tif 000010
2018164263.tif 000011
2018164263.tif 000012
2018164263.tif 000013